(57)【要約】【課題】撮影後の特別な作業を要することなく、所望の加工・エフェクト処理が施された撮影画像を得ることが可能な撮像装置を提供する。【解決手段】デジタルカメラ５は、被写体を撮像して基本画像データとして出力する。テンキー６には、所定の加工・エフェクト処理が対応付けられている。撮影モード時にテンキー６が押圧操作されると、画像処理部は、基本画像データに、所定の加工・エフェクト処理を施して、加工画像データを生成する。【選択図】  図１
2004222017.tif 000002
【特許請求の範囲】
【請求項１】
被写体を撮像して第１の画像データとして出力する撮像手段と、
所定の画像加工処理に対応するシャッタボタンを有する入力手段と、
前記シャッタボタンが操作されたとき、前記撮像手段から出力された前記第１の画像データに、前記所定の画像加工処理を施して第２の画像データを生成する画像加工処理手段と、
を備えたことを特徴とする撮像装置。
【請求項２】
請求項１記載の撮像装置であって、
前記入力手段は、異なる画像加工処理にそれぞれ対応する複数のシャッタボタンを有し、
前記画像加工処理手段は、前記第１の画像データに、操作されたシャッタボタンに対応した画像加工処理を施すことを特徴とする撮像装置。
【請求項３】
請求項１又は請求項２に記載の撮像装置であって、
前記シャッタボタンへ所望の画像加工処理を割り当てる設定手段を備えたことを特徴とする撮像装置。
【請求項４】
請求項１〜請求項３の何れかに記載の撮像装置であって、
表示手段と、
前記シャッタボタンに対応する画像加工処理の内容を前記表示手段に表示させる処理表示制御手段と、を備えたことを特徴とする撮像装置。
【請求項５】
請求項１〜請求項３の何れかに記載の撮像装置であって、
表示手段と、
前記第２の画像データに基づく画像を前記表示手段に表示させる加工画像表示制御手段と、を備えたことを特徴とする撮像装置。
【請求項６】
請求項１〜請求項５の何れかに記載の撮像装置を備えたことを特徴とする携帯通信端末。
【発明の詳細な説明】
【０００１】
【発明の属する技術分野】
本発明は、撮像装置及びこれを備えた携帯通信端末に関する。
【０００２】
【従来の技術】
デジタルカメラによる写真撮影は、撮影画像に対して容易に加工・エフェクト処理を施すことが可能である点で、銀塩フィルムによる写真撮影よりも便利である。また、最近では、デジタルカメラ機能が搭載された携帯電話機やＰＤＡなどの携帯通信端末が数多く提案されている（例えば、特許文献１参照）。
【０００３】
また、携帯電話機やＰＤＡなどの携帯通信端末で撮影された写真画像は、デジタルカメラ専用機以上に、他人とのコミュニケーションの手段として用いられることが多い。このため、デジタルカメラ機能を有する機器にとって、加工・エフェクト機能は、今後重要な機能及び要素の一つとして期待されている。
【０００４】
【特許文献１】
特開２００２−５０９９９号公報
【０００５】
【発明が解決しようとする課題】
デジタルカメラは、銀塩フィルムよりも何倍も多くの画像を簡単に且つ安価に撮影することが可能であるため、ユーザは銀塩カメラに比して多数の画像を撮影する傾向にある。
【０００６】
しかしながら、撮影画像に対する加工・エフェクト処理は、各撮影画像に対して手作業で行わなければならず、撮影枚数の増大は、加工・エフェクト作業に要する労力及び時間の増大を招き、その作業が煩雑となる。
【０００７】
また、比較的小さな液晶やインターフェースを有するＰＤＡや携帯電話機などの携帯通信端末を使用した場合、加工・エフェクト処理を施すことがユーザにとって煩雑な作業となる。
【０００８】
本発明は、このような課題に鑑みてなされたものであり、撮影後の特別な作業を要することなく、所望の加工・エフェクト処理が施された撮影画像を得ることが可能な撮像装置の提供を目的とする。
【０００９】
【課題を解決するための手段】
本発明に係る撮像装置は、撮像手段と、入力手段と、画像加工処理手段と、を備える。撮像手段は、被写体を撮像して第１の画像データとして出力する。入力手段は、所定の画像加工処理に対応するシャッタボタンを有する。画像加工処理手段は、シャッタボタンが操作されたとき、第１の画像データに、操作されたシャッタボタンに対応した所定の画像加工処理を施して第２の画像データを生成する。
【００１０】
上記構成では、シャッタボタンが操作されると、画像加工処理手段は、撮像手段から出力される第１の画像データに、所定の画像加工処理を施して第２の画像データを生成する。このため、ユーザは、撮影後の特別な作業を要することなく、シャッタボタンを操作するだけで、所定の加工・エフェクト処理が施された撮影画像を得ることができる。従って、撮影枚数が増大した場合であっても、加工・エフェクト作業に要する労力及び時間を全く要することがなく、利便性が著しく向上する。また、撮影操作のみで所定の加工・エフェクト処理が行われるため、液晶や入力ボタンやキー等が比較的小さな携帯用機器に搭載された撮像装置へ適用することにより、このような携帯用機器であっても、所定の加工・エフェクト処理が施された撮影画像を簡単に得ることができる。
【００１１】
入力手段は、異なる画像加工処理にそれぞれ対応する複数のシャッタボタンを有しても良く、画像加工処理手段は、第１の画像データに、操作されたシャッタボタンに対応した画像加工処理を施しても良い。
【００１２】
上記構成では、ユーザが、複数のシャッタボタンの中から所望の画像加工処理に対応しているシャッタボタンを選択し、これを操作することにより、所望の加工・エフェクト処理が施された撮影画像を得ることができる。
【００１３】
撮像装置は、シャッタボタンへ所望の画像加工処理を割り当てる設定手段を備えても良い。
【００１４】
上記構成では、シャッタボタンに設定される画像加工処理をユーザの要望に応じて変更することができるので、シャッタボタンの数を増大させることなく、様々な加工・エフェクト処理を施すことができる。
【００１５】
撮像装置は、表示手段と、シャッタボタンに対応する画像加工処理を表示手段に表示させる処理表示制御手段と、を備えても良い。
【００１６】
上記構成では、表示手段に表示された画像加工処理を視認することにより、シャッタボタンに対応している画像加工処理を認識することができ、その確認を容易に行うことができる。
【００１７】
撮像装置は、表示手段と、第２の画像データに基づく画像を表示手段に表示させる加工画像表示制御手段と、を備えても良い。
【００１８】
上記構成では、ユーザは、撮影後に表示手段を視ることにより、加工・エフェクト処理が施された画像を確認することができる。
【００１９】
また、撮像装置は、シャッタボタンが操作されたとき、第２の画像データを記憶する記憶手段を備えても良い。
【００２０】
【発明の実施の形態】
以下、本発明の実施形態について、図面を参照しながら詳細に説明する。
【００２１】
本実施形態は、撮像装置が搭載されたいわゆるカメラ付き携帯電話機（携帯通信端末、以下端末と略称する）１であり、図１（ａ）〜（ｃ）に示すように、筐体２と、表示部３と、複数の入力操作キーを有する操作部４と、デジタルカメラ５と、を備えている。
【００２２】
図１（ａ）に示すように、筐体２の前面（正面）２ａの上部には、例えば液晶ディスプレイのような平面表示デバイスによって構成された表示部３が配置されている。筐体２の前面２ａの下部には、「１」〜「９」及び「０」の数字と「＊」及び「♯」の記号がそれぞれ表示された１２個のいわゆるテンキー６が、横３列で縦４列に配置されている。テンキー６と表示部３との間には、中央のジョグダイヤル７と、その両外側の左右の方向キー７ａ，７ｂとが配置されている。ジョグダイヤル７は、回転動作可能な押圧スイッチである。方向キー７ａ，７ｂの左側には、通話キー８が、右側には電源キー／終話キー９がそれぞれ配置されている。テンキー６の下方にはマイク（図示外）のための孔１０が、表示部３の上方にはスピーカ（図示外）のための孔１１がそれぞれ形成されている。
【００２３】
図１（ｂ）に示すように、筐体２の一側面（正面２ａに向かって右側の側面）２ｂには、押圧操作されるサイドキー１２が設けられている。上記テンキー６とジョグダイヤル７と方向キー７ａ，７ｂと通話キー８と電源／終話キー９とサイドキー１２とが、操作部４を構成している。
【００２４】
図１（ｃ）に示すように、筐体２の後面（裏面）２ｃには、デジタルカメラ５のレンズが配置されている。デジタルカメラ５は、被写体の像を受光面に結像させて光電変換し、基本画像データ（第１の画像データ）を生成して出力する。
【００２５】
図１（ａ）に示すジョグダイヤル７と、図１（ｂ）に示すサイドキー１２とは、共にデジタルカメラ５の通常のシャッタボタン（撮影画像に特に加工・エフェクト処理を施さない場合のシャッタボタン）として機能する。すなわち、撮影モードにおいて、ジョグダイヤル７又はサイドキー１２が押圧操作されたときは、デジタルカメラ５が出力する基本画像データ（第１の画像データ）に基本的な画像処理（例えば、画素数の変更、シャープネス補正、ガンマ補正、コントラスト補正、ホワイトバランス補正等）が施された状態で、表示部３への表示やフレームメモリ１７（図２に示す）への記録が行われる。
【００２６】
本実施形態では、これらのジョグダイヤル７やサイドキー１２に加えて、図１（ａ）に示すテンキー６の一部又は全部が特殊なシャッタボタンとして機能する。すなわち、テンキー６の一部又は全部には、予め所定の画像加工・エフェクト処理が対応付けられており、テンキー６の一つを選択して押すことにより、デジタルカメラ５が出力する基本画像データに、上記基本的な処理に加えて、押されたテンキー６に対応する所定の画像加工・エフェクト処理が施される。そして、得られた加工画像データ（第２の画像データ）に基づいた画像の表示部３への表示や、加工画像データのフレームメモリ１７（図２に示す）への記録が行われる。ここで、所定の画像加工・エフェクト処理とは、例えば、デジタルカメラ５からの画像を＋９０°（時計回りに９０°）回転させる処理や、−９０°（反時計回りに９０°）回転させる処理や、ソフトフォーカスをかけた色彩に変更する処理や、セピア調の色彩に変更する処理や、白黒の色彩に変更する処理や、画面の周縁にフレームを挿入する処理や、所定の文字を含んだいわゆる吹き出し部を挿入する処理などがある。なお、二つ以上のテンキー６を同時に押すことにより、異なった画像加工・エフェクト処理を同時に施すことも可能である。
【００２７】
図２に示すように、端末１には、上記操作部４やデジタルカメラ５に加えて、ストロボ装置１３と、処理制御部１４と、メモリ１５と、画像処理部１６と、フレームメモリ１７と、圧縮解凍部１８と、インターフェース１９と、送受信部２０と、アンテナ２１と、通信コネクタ２２と、Ｄ／Ａ変換器２３と、が設けられている。
【００２８】
デジタルカメラ５は、被写体像を受光面に合焦させるフォーカス調節部や、露光量を調節する絞り調節部や、露光時間を調節するシャッタースピード調節部や、画角を調節するズーム調節部などを有している。ストロボ装置１３は、フラッシュを発光して被写体の明るさを補う。
【００２９】
処理制御部１４は、端末１全体の統括制御を行う。すなわち、処理制御部１４は、画像データのサンプリングタイミング制御や、ストロボ装置１３の制御や、絞りやシャッタースピード等を含む露光制御や、フォーカス制御や、ズーム制御や、ホワイトバランスの設定や、画像データの記録制御や、通信制御や、表示制御や、画像データの画素数変換処理や、画像データの各種変換処理や、省電力モードの設定や解除、等の制御を行う。メモリ１５は、端末１の動作プログラムや各種定数、撮像条件を示すパラメータ、画像の性質を示すパラメータ等が記憶されているＲＯＭと、プログラム実行時の作業領域となる記憶手段であるＲＡＭとから構成され、処理制御部１４に接続されている。
【００３０】
画像処理部１６は、基本画像データに対して、画素数の変更、シャープネス補正、ガンマ補正、コントラスト補正、ホワイトバランス補正等の基本的な処理を行う。さらに、所定の画像加工・エフェクト処理が対応付けられたテンキー６が押されたときには、その加工・エフェクト処理を施して加工画像データ（第２の画像データ）を生成する。フレームメモリ１７は、画像処理部１６で基本的な処理が施された基本画像データや、加工・エフェクト処理が施された加工画像データを一時的に記憶する。
【００３１】
圧縮解凍部１８は、画像データ等の情報を、ＪＰＥＧやＭＰＥＧに代表される手法で圧縮制御したり、処理制御部１４の指示により圧縮したデータを伸張展開制御する処理を行う。インターフェース１９は、着脱可能な外部の記録媒体２４に対する画像データの記録や読み出しのためにデータを変換する。記録媒体２４は、例えば、メモリーカードやＭＯ等の半導体や磁気記録媒体や光記録媒体である。
【００３２】
送受信部２０は、他の機器と画像データ等を送受信する場合に、処理制御部１４からの指令により画像データやディレクトリの情報データ等を符号化、複合化し、アンテナ２１や通信コネクタ２２を介して、搬送波に乗せて送受信したり、通信コネクタ２２を介して入出力する。通信コネクタ２２は、画像データ等の情報の送受信を相互に行う他の機器とケーブルで接続され、該機器との間で情報を電気信号又は光信号に変換して有線にて通信を行う。このような送受信部２０を介して、画像ファイルや、ＲＡＭ、ＲＯＭ、フレームメモリ１７に記憶されているデータを他の機器に送信したり、他の機器から情報を受信してメモリ１５やフレームメモリ１７に記憶させる。
【００３３】
Ｄ／Ａ変換器２３は、画像データを表示部３に表示するためのＤ／Ａ変換を行う。
【００３４】
なお、詳しい説明は省略するが、操作部４、処理制御部１４、メモリ１５、送受信部２０、アンテナ２１等は、端末１の基本的な機能である電話機機能のために関連した要素としても機能する。
【００３５】
さらに、処理制御部１４は、ユーザからの入力に応じて、端末１全体を電話機モードや撮影モードなどの所定のモードに設定する。また、撮影モードでは、表示部３の表示制御や、後述する設定エフェクト群の変更等を行う。
【００３６】
次に、撮影モードについて説明する。
【００３７】
端末１は、標準状態では電話機としての機能を優先させるため、電話機モードに設定されており、所定の操作部４を操作することにより、適宜撮影モードに設定される。
【００３８】
撮影モードでは、図３に示すように、表示部３の一側領域（上部領域）３ａには、デジタルカメラ５が撮像している画像（いわゆるプレビュー画像）が動画又は間欠画として表示される。係る状態で、ジョグダイヤル７又はサイドキー１２が押圧操作されると、これらのシャッタボタンとして機能により、表示されているプレビュー画像がそのまま撮影画像として静止状態で表示されると共に、対応する画像データが記録される。
【００３９】
表示部３の他側領域（下部領域）３ｂには、設定エフェクト群２７が表示される。例えば、「１」〜「９」の数字が表示された９つのテンキー６をシャッタボタンとして機能させるように設定している場合、表示部３の他側領域３ｂには、９つのエフェクト（９つのテンキー６に対応する加工・エフェクト処理の内容の簡易表示）がテンキー６と同じ配列で表示される。各エフェクト２６には、それぞれ対応するテンキー６の番号（例えば、「１」）と、対応付けられている加工・エフェクトの内容（例えば、「Ａ」）とが表示される。この例では、９つのテンキー６の全てに対して異なる加工・エフェクト（「Ａ」〜「Ｉ」）が割り当てられている。
【００４０】
ユーザは、撮影画像に所定の加工・エフェクト処理を施したいときには、表示部３の一側領域３ａに表示された画像を視ながら端末１の位置を調整してデジタルカメラ５を所望の位置に合わせ、設定エフェクト群２７を視て希望する加工・エフェクト処理に対応したテンキー６を選択し、その選択したテンキー６を押圧操作する。テンキー６が押圧操作されると、対応する加工・エフェクト処理が施された画像が撮影画像として静止状態で表示部３の一側領域３ａに表示されると共に、対応する画像データ（加工画像データ）が記録される。
【００４１】
例えば、数字「１」のテンキー６ａに、−９０°（反時計回りに９０°）回転させる処理が対応付けられている場合、テンキー６ａに対応するエフェクト２６ａの「Ａ」の部分（図３に示す）には、−９０°回転させる処理を表す記号や文字が表示される。そして、図４に示すように、端末１を起立状態（正規位置）から−９０°回転させた状態で撮影を行う場合には、ユーザは数字「１」のテンキー６ａを押圧操作すれば良い。この場合、プレビュー画像は、端末１を正規位置にした状態で、被写体の上下と画像の上下がそのまま対応しているいわゆる正立像ではなく、図５（ａ）に示すように、正立像から＋９０°回転した状態となるが、数字「１」のテンキー６ａを押圧操作することで、図５（ａ）の状態から−９０°回転させる処理が施され、図５（ｂ）に示すように、正立像が撮影画像として静止状態で表示されると共に、対応する加工画像データ（正立像の画像データ）が記録される。なお、この場合、表示される撮影画像の大きさは、表示部３の表示可能領域の大きさに応じて適宜拡大又は縮小される。
【００４２】
テンキー６に割り当てられる加工・エフェクト処理には、上記−９０°回転させる処理の他、＋９０°（時計回りに９０°）回転させる処理や、ソフトフォーカスをかけた色彩に変更する処理や、セピア調の色彩に変更する処理や、白黒の色彩に変更する処理や、画面の周縁にフレームを挿入する処理や、所定の文字を含んだいわゆる吹き出し部を挿入する処理などがある。これらのうち、フレームを挿入する処理や吹き出し部を挿入する処理では、フレームや吹き出し部の位置に被写体を合わせることが好ましい。そこで、本実施形態では、フレームの概略位置を示すフレーム位置基準線２８と吹き出しの概略位置を示す吹き出し位置基準線２９とが、表示部３の一側領域３ａに表示されている。ユーザは、プレビュー画像をフレーム位置基準線２８や吹き出し位置基準線２９に合わせて調整することにより、フレームや吹き出しが的確な位置に配置された撮影画像を得ることができる。
【００４３】
また、本実施形態の処理制御部１４は、撮影モードにおいて、ユーザからの入力に応じて、キー割り当て設定モードへ移行させる。キー割り当て設定モードでは、各テンキー６への加工・エフェクト処理の割り当てが、ユーザからの操作によって適宜変更される。なお、キー割り当て設定モードの詳細については、後述する。
【００４４】
次に、図６に示すフローチャートを参照して、本実施形態の作用を説明する。
【００４５】
図６に示す制御は、端末１をＯＮ状態とすることによってスタートし、ステップＳ１へ進む。ステップＳ１では、撮影モードに設定されているかどうかを判断する。撮影モードに設定されている場合には、ステップＳ２へ進む。一方、撮影モードに設定されていない（電話機モード等の他のモードに設定されている）場合には、ステップＳ１に止まり、撮影モードに設定されるまで以後のステップには進まない。
【００４６】
ステップＳ２では、表示部３に現在の設定エフェクト群２７を表示し、ステップＳ３へ進む。
【００４７】
ステップＳ３では、現在の設定エフェクト群２７を変更するかどうか（各テンキー６への加工・エフェクト処理の割り当てを設定し直すかどうか）という内容（例えば、「現在の設定を変更する？」）を表示部３に表示し、ユーザからの入力を待つ。ユーザは、ステップＳ２で表示された現在の設定エフェクト群２７を視て、変更する（ＹＥＳ）か変更しない（ＮＯ）かの何れかを選択し、所定の操作部４を操作する。変更すると選択された場合には、ステップＳ４へ進み、キー割り当て設定モードに移行する。変更しないと選択された場合には、ステップＳ１４へ進み、撮影モードにおける処理を実行する。
【００４８】
ステップＳ４では、割り当てキー数（シャッタボタンとして機能させるテンキー６の数）の設定をユーザへ要求する。例えば、「割り当てキー数は？」と表示部３に表示し、ユーザからの入力を待つ。テンキー６等の操作により割り当てキー数が設定されると、ステップＳ５へ進む。
【００４９】
ステップＳ５では、設定の変更をフルカスタムアサインで行うかどうかという内容（例えば、「フルカスタムアサイン？」）を表示部３に表示し、ユーザからの入力を待つ。ユーザは、フルカスタムアサインで行う（ＹＥＳ）か行わない（ＮＯ）かの何れかを選択し、所定の操作部４を操作する。フルカスタムアサインで行うと選択された場合には、ステップＳ６へ進む。
【００５０】
ステップＳ６では、図７に示すように、設定可能な全てのエフェクト（「Ａ」、「Ｂ」、「Ｃ」、・・・、「ａ」、「ｂ」、「ｃ」・・・）２６と、一つのエフェクト２６を囲むように表示されるカーソル３１とを表示部３に表示し、ステップＳ７からステップＳ８へと進む。
【００５１】
ユーザは、ステップＳ７において、ジョグダイヤル７と左右の方向キー７ａ，７ｂとを操作してカーソル３１を希望するエフェクト２６に合わせ、ステップＳ８において、カーソル３１に合っているエフェクト２６に対応させるテンキー６を一つ選択して押す。テンキー６が押されると、ステップＳ９へ進む。
【００５２】
ステップＳ９では、選択を終了するかどうか（キー割り当て設定モードを終了するかどうか）という内容（例えば、「選択終了？」）を表示部３に表示し、ユーザからの入力を待つ。ユーザは、終了する（ＹＥＳ）か続行する（ＮＯ）かの何れかを選択し、所定の操作部４を操作する。終了すると選択された場合には、ステップＳ１０へ進み、終了しないと選択された場合には、ステップＳ６へ戻り、さらにフルカスタムアサインでの設定を行う。
【００５３】
このようなフルカスタムアサイン（ステップＳ６〜ステップＳ９）によれば、エフェクト２６とテンキー６との対応を自由に設定することができる。
【００５４】
一方、ステップＳ５でフルカスタムアサインで行わないと選択された場合には、ステップＳ１１へ進み、設定の変更を一括選択アサインで行う。
【００５５】
ステップＳ１１は、図８に示すように、設定可能な全てのエフェクト（「Ａ」、「Ｂ」、「Ｃ」、・・・、「ａ」、「ｂ」、「ｃ」・・・）２６が配列されたエフェクト平面３２を表示し、ステップＳ１２へ進む。
【００５６】
ステップＳ１２では、ステップＳ４で予め設定された割り当てキー数に対応した数のエフェクト２６を囲む大きさのカーソル３３を表示し、ステップＳ１３へ進む。例えば、ステップＳ４で割り当てキー数が「９」と設定された場合、９個のエフェクト２６（縦横３列ずつ）を囲む大きさのカーソル３３を表示する。
【００５７】
ユーザは、ステップＳ１３において、ジョグダイヤル７と左右の方向キー７ａ，７ｂとを操作してカーソル３３を希望する位置に合わせ、所定の操作部４を操作することにより、カーソル３３の位置を決定し、ステップＳ１０へ進む。このとき、決定されたカーソル３３に囲まれている９個のエフェクト２６が、それぞれ対応する位置のテンキー６に割り当てられる。例えば、図８に示す位置でカーソル３３が決定された場合、「１」のテンキー６には「ｇ」のエフェクト２６が、「２」のテンキー６には「ｈ」のエフェクト２６が、「３」のテンキー６には「ｉ」のエフェクト２６が、「４」のテンキー６には「Ａ」のエフェクト２６が、「５」のテンキー６には「Ｂ」のエフェクト２６が、「６」のテンキー６には「Ｃ」のエフェクト２６が、「７」のテンキー６には「Ｄ」のエフェクト２６が、「８」のテンキー６には「Ｅ」のエフェクト２６が、「９」のテンキー６には「Ｆ」のエフェクト２６がそれぞれ割り当てられる。
【００５８】
このような一括選択アサイン（ステップＳ１１〜ステップＳ１３）によれば、エフェクト２６同士の位置関係は予め固定されているが、簡単な操作で複数のテンキー６に対する複数のエフェクト２６を一度に設定することができ、手軽に様々なエフェクト２６を楽しむことができる。
【００５９】
ステップＳ１０では、設定エフェクト群２７を表示し、ステップＳ１４の撮影モードへ進む。
【００６０】
撮影モードでは、通常の撮影を行う場合には、ジョグダイヤル７又はサイドキー１２を、撮影画像に所望の加工・エフェクト処理を施したい場合には、希望する加工・エフェクト処理に対応したテンキー６を、それぞれ押圧操作して、シャッタボタンとして機能させる。
【００６１】
なお、上記各ステップにおける判断や制御は、処理制御部１４（図２に示す）が行う。また、キー割り当て設定モードで行われる各表示は、表示部３のどの領域に表示されても良い。
【００６２】
このように、本実施形態によれば、ユーザは、希望する加工・エフェクト処理に対応したテンキー６を選択して押圧操作するだけで、対応する加工・エフェクト処理が施された画像が撮影画像として表示されると共に、対応する加工画像データが記録される。このため、ユーザは、撮影後の特別な作業を要することなく、所定のテンキー６を押圧操作するだけで、所定の加工・エフェクト処理が施された撮影画像を得ることができる。従って、撮影枚数が増大した場合であっても、加工・エフェクト作業に要する労力及び時間を全く要することがなく、利便性が著しく向上する。
【００６３】
撮影操作のみで所定の加工・エフェクト処理が行われるため、表示部３や操作部４等が比較的小さく操作性や視認性があまり良くない端末１であっても、煩雑な作業を要することなく、所定の加工・エフェクト処理が施された撮影画像を簡単に得ることができる。
【００６４】
キー割り当て設定モードにより、テンキー６に設定される画像加工・エフェクト処理をユーザの要望に応じて変更することができるので、数が限定されているテンキー６を使用した場合であっても、様々な加工・エフェクト処理に対応することができる。
【００６５】
撮影モードでは、そのときの設定エフェクト群２７が表示部３に表示されるので、表示されたエフェクト２６を視認することにより、各テンキー６に対応している画像加工処理を認識することができ、その確認を容易に行うことができる。
【００６６】
撮影モードでは、テンキー６が押圧操作されたとき、対応する加工・エフェクト処理が施された画像が撮影画像として静止状態で表示部３に表示されるので、ユーザは、撮影画像を視ることにより、加工・エフェクト処理が的確に施された否かを確認することができる。
【００６７】
複数のテンキー６にそれぞれ異なった加工・エフェクト処理を予め割り当てておくことができるので、一つのシャッタボタンに加工・エフェクト処理を都度設定してから撮影を行う方法に比べ、撮影に要する時間を低減することができる。従って、急な撮影であっても十分に対応することができ、シャッターチャンスを逃すことなく撮影を行うことができる。また、フレーム方向の変更（画像の回転加工処理）は、撮影する寸前の構図の決定に左右される。このため、一つのシャッタボタンに加工・エフェクト処理を都度設定してから撮影を行う方法では、構図を決めてから施す処理を設定しなければならず、撮影時の作業が繁雑となる。これに対し、複数のテンキー６にそれぞれ異なった加工・エフェクト処理を予め割り当てておけば、撮影時には所定のテンキー６を選択して押圧操作するだけで済むので、撮影時の作業の簡素化を図ることができる。
【００６８】
撮影後に、加工・エフェクト作業を行うことなく、直ぐにメール等に添付して送信したり、プリントアウトして楽しむことができる。
【００６９】
テンキー６は、端末１の基本的な機能である電話機機能のために設けられており、このテンキー６をシャッタボタンとして機能させるため、シャッタボタンを別途設ける必要が無く、既存のハードフェアの活用を図ることができる。
【００７０】
なお、上記実施形態では、端末１として携帯電話機を例に挙げて説明したが、音声通信機能を持つＰＤＡ（Ｐｅｒｓｏｎａｌ  Ｄｉｇｉｔａｌ  Ａｓｓｉｓｔａｎｔ）などの他の携帯通信端末やデジタルカメラ専用機など、撮像機能を有する機器であれば、本発明を適用することができる。
【００７１】
【発明の効果】
本発明によれば、撮影後の特別な作業を要することなく、所定のシャッタボタンを操作するだけで、所定の加工・エフェクト処理が施された撮影画像を得ることができる。
【図面の簡単な説明】
【図１】本実施形態の端末を模式的に示す図であり、（ａ）は正面図、（ｂ）は（ａ）を矢印Ｉｂ方向から視た側面図、（ｃ）は（ｂ）をＩｃ方向から視た裏面図である。
【図２】図１の端末のブロック構成図である。
【図３】図１の端末の撮影モード時の表示部を模式的に示す正面図である。
【図４】図１の端末による撮影時の状態を模式的に示す斜視図である。
【図５】図１の端末の表示部を模式的に示す拡大正面図であり、（ａ）は加工・エフェクト処理が施されていない通常の撮影画像を示し、（ｂ）は加工・エフェクト処理が施された撮影画像を示している。
【図６】本実施形態の制御を示すフローチャートである。
【図７】フルカスタムアサインのエフェクトの配列を表す模式図である。
【図８】一括選択アサインのエフェクト平面を表す模式図である。
【符号の説明】
１…携帯通信端末（携帯電話機）
３…表示部
４…操作部
５…デジタルカメラ
６…テンキー
７…ジョグダイヤル
１２…サイドキー
１４…処理制御部
１６…画像処理部
２６…エフェクト
２７…設定エフェクト群
【図１】
2004222017.tif 000003
【図２】
2004222017.tif 000004
【図３】
2004222017.tif 000005
【図４】
2004222017.tif 000006
【図５】
2004222017.tif 000007
【図６】
2004222017.tif 000008
【図７】
2004222017.tif 000009
【図８】
2004222017.tif 000010